(57)【要約】【課題】パッド部の交換時にはパッド部のみを交換できるようにした電動工具を提供する。【解決手段】筐体と、この筐体の表面部に取付けられた第１乃至第３のラバーパッド１０〜１２とを備え、ラバーパッド１０〜１２は、母材１５と、この母材１５に脱着自在に取付けられたパッド部１６とにより構成される。【選択図】　　図７
2004017225.tif 000002
【特許請求の範囲】
【請求項１】
筐体と、
この筐体の表面部に取付けられた外装材とを備え、
前記外装材は、母材と、この母材に脱着自在に取付けられたパッド部とにより構成されることを特徴とする電動工具。
【請求項２】
前記母材には取付孔が穿設され、前記パッド部には係合用突起部が突設され、前記パッド部はその係合用突起部を前記母材の取付孔に係脱自在に係合させて取付けられることを特徴とする請求項１記載の電動工具。
【請求項３】
前記パッド部の係合用突起部の先端部にはスリットが形成されたことを特徴とする請求項２記載の電動工具。
【請求項４】
前記外装材の母材及びパッド部は、樹脂材によって成形されたことを特徴とする請求項１又は２記載の電動工具。
【請求項５】
前記樹脂は熱可塑性樹脂であることを特徴とする請求項４記載の電動工具。
【請求項６】
前記筐体は電動機及びスイッチを内蔵し把持部でもあるフレーム部と、工具の取付け及び減速機構を内蔵したヘッド部と、バッテリーをパックする電源パック部とからなり、前記外装材は前記フレーム部の電動機内蔵部、把持部及び電源パック部近傍の表面部にそれぞれ装着される請求項１又は２記載の電動工具。
【発明の詳細な説明】
【０００１】
【発明の属する技術分野】
本発明は、表面部に外装材としてのラバーパッドを装着する電動工具に関する。
【０００２】
【従来の技術】
一般に、電動工具は工具の取付け、及び減速機構を内蔵したヘッド部と、手で握られる把持部と、電動機を内蔵した動力部と、電源をパックする電源パック部により構成されている。
【０００３】
電動工具のヘッド部、把持部、及び電源パック部の表面部には、デザイン性の向上や滑り止めのため、また、手で握ったときの滑り止めや、防振効果を持たせるためにラバーパッドがそれぞれ装着されている。ラバーパッドは母材とこの母材にモールド成形により一体化されたパッド部とにより構成されている。
【０００４】
ところで、パッド部は外部に露出されているため、傷付いたり、汚れたり、欠損したりすることがあり、このような場合には、新しいものと交換する必要がある。
【０００５】
【発明が解決しようとする課題】
しかしながら、従来においては、母材とパッド部とをモールド成形により一体化していたため、パッド部を交換する場合には、パット部とともに母材をも交換しなければならず、修理、メンテナンス上不経済的なものとなっていた。
【０００６】
そこで、本発明は、パッド部の交換時にはパッド部のみを交換できるように電動工具を提供することを目的とする。
【０００７】
【課題を解決するための手段】
本発明は上記課題を解決するため、請求項１記載のものは、筐体と、この筐体の表面部に取付けられた外装材とを備え、前記外装材は母材と、この母材に脱着自在に取付けられたパッド部とにより構成される。
【０００８】
【発明の実施の形態】
以下、本発明を図面に示す実施の形態を参照して詳細に説明する。
【０００９】
図１は本発明の一実施の形態である電動工具１を示す側面図、図２はその上面図、図３はその下面図、図４はその正面図、図５はその背面図である。
【００１０】
電動工具１は、筐体Ｋを有し、この筐体Ｋはヘッド部２とフレーム部３と電源パック部４とにより構成されている。
【００１１】
ヘッド部２の内部には図示しない減速機構が設けられ、ヘッド部２の先端部にはＤＣモータのシャフトに減速機構部を介して連結されるチャック部５が設けられている。チャック部５にはネジ締結用ビットやドリル等の工具が固定されるようになっている。
【００１２】
フレーム部３はその上部側に電動機３ａを内蔵するとともに、ＤＣモータに対する電源の供給をオン、オフするスイッチ７を有し、さらに、手で握られる把持部３ｂを有して構成される。
【００１３】
電源パック部４はＤＣモータにＤＣ電源を供給するもので、その側面部にはバッテリー着脱用の押釦８が設けられている。
【００１４】
電動工具１を使用する場合には、把持部３ｂを手で握ってスイッチ７をオンする。これにより、ＤＣモータに電源が供給されてチャック部５にチャクされたビット等の工具が回転されることになる。
【００１５】
一方、上記したヘッド部２の上面部には第１の外装材としての第１のラバーパッド１０が装着され、また、把持部３ｂの背面側には第２の外装材としての第２のラバーパッド１１が装着され、さらに、電源パック部４の両側面及び背面部には第３の外装材としての第３のラバーパッド１２が装着されている。
【００１６】
第１のラバーパッド１０は、デザイン性を高めるとともに、滑り止めとしての機能を有する。
【００１７】
第２のラバーパッド１１は、デザイン性を高めるとともに、把持部３ｂを手で握ったときの滑り止め（握り易くする）、防振効果、フィット感等を与えるための機能を有する。
【００１８】
第３のラバーパッド１２はデザイン性を高めるとともに、滑り止め、押釦８の保護（バッテリー離脱保護）のための機能を有する。
【００１９】
上記した第１乃至第３のラバーパッド１０〜１２は、図６に示すように構成されている。
【００２０】
即ち、ラバーパッド１０〜１２は母材１５と、この母材１５に脱着自在に取付けられるパッド部１６とにより構成されている。母材１５とパッド部１６は樹脂、主に熱可塑性樹脂、例えば軟質プラスチック（エラストマー樹脂等）によって成形されている。
【００２１】
母材１５には取付孔１５ａ，１５ａが穿設され、パッド部１６には突起部１６ａ，１６ａが突設されている。パッド部１６の突起部１６ａ，１６ａの先端部には半球状の係止部１６ｂ，１６ｂが形成され、係止部１６ｂの外径は母材１５の取付孔１５ａの内径よりやや大きくされている。
【００２２】
パッド部１６は図７に示すように、その突起部１６ａ，１６ａを母材１５の取付孔１５ａ，１５ａ内に挿入し、その係止部１６ｂ，１６ｂを取付孔１５ａ，１５ａの周縁部に係脱自在に係止させて脱着可能に取付けられる。
【００２３】
ところで、電動工具が長期間使用されると、パッド部１６が傷付いたり、汚れたり、欠損したりすることがあり、この場合には、新しいものと交換する必要がある。
【００２４】
交換する場合には、パッド部１６に対し引き剥がす方向の力を付与する。これにより、パッド部１６の突起部１６ａ，１６ａの係止部１６ｂが母材１５の取付孔１５ａ，１５ａから離脱してパッド部１６が母材１５から取り外れる。このようにパッド部１６を母材１５から取り外したのち、新たなパッド部１６を用意してその突起部１６ａ，１６ａを母材１５の取付孔１５ａ，１５ａ内に嵌め込んで係止部１６ｂ，１６ｂを取付孔１５ａ，１５ａの周縁部に係止させて取付ける。
【００２５】
上述したように、電動工具１に装着されるラバーパッド１０〜１２を母材１５と、この母材１５に脱着自在に取付けられるパッド部１６とによって構成するため、パッド部１６が劣化した場合には、パッド部１６を母材１５から取り外してパッド部１６のみを新しいものと交換することができる。
【００２６】
従って、母材１５を交換する必要がなく、メンテナンス上経済性に優れるという利点がある。
【００２７】
また、パッド部１６は単独部品として何色も容易に製作することができるため、ユーザの好みに応じたカスタム仕様の工具を提供することが可能となる。
【００２８】
さらに、ユーザは何色かのパッド部１６を取り揃えることにより、その日の気分により着せ替えて楽しく使用できる利点もある。
【００２９】
なお、図８及び図９に示すように、パッド部１６の突起部１６ａの係止部１６ｂにスリット１６ｃを形成するようにしても良い。このスリット１６ｃを形成した場合には、パッド部１６の脱着動作時において、突起部１６ａの係止部１６ｂが伸縮し易く、取付孔１５ａに対する係止部１６ｂの係脱が容易になる。
【００３０】
なお、上記した実施の形態では、３個所にラバーパッド１０〜１２を設けたが、これに限られず、１〜２個所にラバーパッドを設けるものであっても良い。
【００３１】
また、上記した第１乃至第３のラバーパッド１０〜１２は例えば、接着剤により装着保持するようにしても良い。
【００３２】
さらに、本発明は前記実施の形態に限定されるものではなく、本発明の要旨を逸脱しない範囲で種々変形実施可能であるのは勿論である。
【００３３】
【発明の効果】
本発明は以上説明したように、電動工具の外装材を母材とこの母材に脱着自在に取付けられるパッド部とによって構成するから、パッド部が劣化した場合には、パッド部を母材から取り外してパッド部のみを新しいものと交換することができる。
【００３４】
従って、母材を交換する必要がなく、メンテナンス上経済性に優れるという効果を奏する。
【図面の簡単な説明】
【図１】本発明の一実施の形態に係る電動工具を示す側面図。
【図２】電動工具を示す上面図。
【図３】電動工具を示す下面図。
【図４】電動工具を示す正面図。
【図５】電動工具を示す背面図。
【図６】ラバーパッドを構成する母材とパッド部とを分解して示す断面図。
【図７】母材にパッド部を取付けた状態を示す断面図。
【図８】本発明の第２の実施の形態であるラバーパッドを構成する母材とパッド部とを分解して示す断面図。
【図９】母材にパッド部を取付けた状態を示す断面図。
【符号の説明】
２…ヘッド部
３…フレーム部
３ａ…電動機
３ｂ…把持部
７…スイッチ
４…電源パック部
Ｋ…筐体
１０〜１２…第１乃至第３のラバーパッド（外装材）
１５…母材
１５ａ…取付孔
１６…パッド部
１６ａ…突起部
１６ｂ…係止部
１６ｃ…スリット
【図１】
2004017225.tif 000003
【図２】
2004017225.tif 000004
【図３】
2004017225.tif 000005
【図４】
2004017225.tif 000006
【図５】
2004017225.tif 000007
【図６】
2004017225.tif 000008
【図７】
2004017225.tif 000009
【図８】
2004017225.tif 000010
【図９】
2004017225.tif 000011